(57)【特許請求の範囲】
【請求項１】
外箱と内箱との間に発泡断熱材を充填した断熱箱体と前記断熱箱体の下方に設けられた機械室とを備えた冷蔵庫であって、
前記外箱は前記機械室の天井を形成する天井部を含み、
前記機械室の左右両側には前記天井部を支持する板金製の支持部材が設けられ、
前記支持部材は、
垂直な第１の平面部と、
前記第１の平面部に対して直角に折り曲げられた垂直な第２の平面部と、
前記第２の平面部に対して直角に折り曲げられ、機械室の幅方向に水平で機械室中心方向に延びる支持部と、
前記支持部と前記第２の平面部に連続して形成されたリブ
を有し、
前記第１の平面部、前記第２の平面部、前記支持部及び前記リブは一体に形成され、
前記第１の平面部は前記支持部よりも上方に延在する延在部を有し、
前記支持部は前記天井部に面し、前記支持部上に前記天井部が設置されるとともに前記延在部に前記外箱の背面が固定されることを特徴とする冷蔵庫。
【請求項２】
前記支持部上に、前記第２の平面部と平行となる方向に折り曲げられた第１の爪部を有し、
前記第１の平面部、前記第２の平面部、前記支持部、前記第１の爪部及び前記リブは一体に形成され、
前記リブは、前記支持部の下側に突出するとともに、前記第２の平面部における前記支持部が設けられた側に突出し、
前記延在部には水平方向に貫通した穴が設けられ、
前記外箱は、前記天井部に前記第１の爪部が係合するとともに、前記背面に前記穴を通したネジにより、前記支持部材に固定されたことを特徴とする請求項１に記載の冷蔵庫。
【請求項３】
前記支持部には上方向に折り曲げられた第２の爪部が更に形成され、
前記第２の爪部は前記第１の爪部よりも前記第２の平面部に近い位置に設けられていることを特徴とする請求項１または２に記載の冷蔵庫。
【請求項４】
前記第１の爪部は前記支持部の先端に設けられていることを特徴とする請求項１から３のいずれかに記載の冷蔵庫。
【発明の詳細な説明】
【技術分野】
【０００１】
この発明は冷蔵庫に関し、特に、機械室の天井を形成する天井部を支持する支持部材を備えた冷蔵庫に関する。
【背景技術】
【０００２】
従来、機械室の天井を形成する天井部を支持する支持部材を備えた冷蔵庫が知られている。図８および図９は、天井部を支持する支持部材を備えた従来の冷蔵庫の構造の一例を示した図である。図１０〜図１２は、図８に示した従来の冷蔵庫の支持部材および補強部材の構造を説明するための斜視図である。従来の冷蔵庫１００１は図８に示すように、断熱箱体１００２を備えている。断熱箱体１００２の下部には例えば野菜室１００３が設けられている。
【０００３】
断熱箱体１００２は外箱１０１０と、外箱１０１０内に配置される内箱１０１１と、外箱１０１０および内箱１０１１の間に充填される発泡断熱材１０１２とを含む。外箱１０１０は一対の側面部１０１０ａ（図９参照）、下面部１０１０ｂおよび背面部１０１０ｃを含む。内箱１０１１は野菜室１００３などの貯蔵室を形成する。
【０００４】
断熱箱体１００２の背面側の下方には図８および図９に示すように、冷凍サイクルを運転する圧縮機（図示せず）などが配置される機械室１００４が設けられている。機械室１００４の側面は外箱１０１０の側面部１０１０ａが延設されることにより形成されている。機械室１００４の前面および天井は外箱１０１０の下面部１０１０ｂにより形成されている。下面部１０１０ｂは機械室１００４の前面を形成する前面部１０１０ｄと、機械室１００４の天井を形成する天井部１０１０ｅとを含む。機械室１００４の背面は後方カバー部材（図示せず）により形成されている。後方カバー部材はネジ１０３０により背面部１０１０ｃに固定される。
【０００５】
機械室１００４の左右両側には、断熱箱体１００２の背面側の下部を支持する板金製の支持部材１０２０が設けられている。支持部材１０２０は図１０に示すように、上下方向に延びる背面部１０２０ａおよび一対の側面部１０２０ｂを含む。背面部１０２０ａは図８に示すように、ネジ１０３１により断熱箱体１００２に固定される。支持部材１０２０の一方の側面部１０２０ｂの上端１０２０ｃ（図１０参照）に天井部１０１０ｅが設置され、断熱箱体１００２が支持される。
【０００６】
また、背面部１０２０ａには図１１に示すように、板金製の補強部材１０２１がネジ１０３２により取り付けられている。補強部材１０２１には図８および図１２に示すように、断熱箱体１００２の天井部１０１０ｅを支持する支持片１０２１ａが形成されている。
【０００７】
支持片１０２１ａは板厚方向を水平に配して支持部材１０２０の側面部１０２０ｂから前方に延びる。支持片１０２１ａの上端は側面部１０２０ｂの上端１０２０ｃと同じ高さに配される。これにより、側面部１０２０ｂの上端１０２０ｃおよび支持片１０２１ａ上に天井部１０１０ｅが設置され、断熱箱体１００２の支持強度を向上することができる。
【０００８】
なお、断熱箱体の下方に機械室が設けられた冷蔵庫は、例えば特許文献１に開示されている。
【先行技術文献】
【特許文献】
【０００９】
【特許文献１】特開２００６−７８１１４号公報
【発明の概要】
【発明が解決しようとする課題】
【００１０】
しかしながら、上記従来の冷蔵庫１００１によると、支持部材１０２０および支持片１０２１ａ上に設置される天井部１０１０ｅの設置面積（支持面積）が小さい。このため、落下試験を行った際の衝撃により、支持部材１０２０および支持片１０２１ａが天井部１０１０ｅを突き破る場合がある。従って、外箱１０１０の下面部１０１０ｂを厚く形成する必要があり、冷蔵庫１００１のコストが増加するという問題点があった。また、補強部材１０２１が設けられるため、部品点数が増加して組立作業が煩雑になるという問題点もあった。
【００１１】
この発明は、上記のような課題を解決するためになされたものであり、この発明の目的は、コストおよび部品点数を削減して耐衝撃性を向上させることが可能な冷蔵庫を提供することである。
【課題を解決するための手段】
【００１２】
上記目的を達成するために、この発明の冷蔵庫は、外箱と内箱との間に発泡断熱材を充填した断熱箱体と断熱箱体の下方に設けられた機械室とを備えた冷蔵庫であって、外箱は機械室の天井を形成する天井部を含み、機械室の左右両側には天井部を支持する板金製の支持部材が設けられ、支持部材には天井部に面して水平方向に折り曲げられる支持部が設けられ、支持部上に天井部が設置される。
【００１３】
この発明の冷蔵庫では、支持部材には天井部に面して水平方向に折り曲げられる支持部が設けられ、支持部上に天井部が設置される。これにより、天井部は支持部により面で支持される。また、支持部は支持部材を折り曲げることにより形成される。
【００１４】
上記冷蔵庫において、好ましくは、支持部には上方向に折り曲げられるとともに天井部に突き刺さる爪部が設けられている。このように構成すれば、天井部が前後方向に移動するのを抑制することができる。
【００１５】
上記支持部に爪部が設けられている冷蔵庫において、好ましくは、支持部は断熱箱体の幅方向の内側に延びるように形成され、支持部には爪部が幅方向に沿って複数形成されている。このように構成すれば、爪部により天井部の内側（中央側）を支持することができるとともに、多くの爪部により天井部を支持することができる。これにより、天井部の撓みを抑制することができる。
【００１６】
上記支持部に爪部が設けられている冷蔵庫において、好ましくは、爪部は支持部の先端に設けられている。このように構成すれば、爪部を容易に形成することができる。
【発明の効果】
【００１７】
本発明によると、支持部材には天井部に面して水平方向に折り曲げられる支持部が設けられ、支持部上に天井部が設置される。これにより、天井部は支持部により面で支持される。すなわち、天井部を支持する部分の面積を大きくすることができる。このため、落下試験での衝撃により支持部が天井部を突き破るのを抑制することができるので、断熱箱体が損傷するのを抑制することができる。なお、天井部を厚く形成する必要がないので、冷蔵庫のコストは増加しない。また、支持部は支持部材を折り曲げることにより形成される。これにより、部品点数が増加するのを抑制することができるとともに、組立作業が煩雑になるのを抑制することができる。このため、冷蔵庫のコストを削減することができる。
【図面の簡単な説明】
【００１８】
【図１】本発明の第１実施形態の冷蔵庫の構造を概略的に示した断面図である。
【図２】図１に示した本発明の第１実施形態の冷蔵庫の機械室周辺の構造を示した断面図である。
【図３】図１に示した本発明の第１実施形態の冷蔵庫の機械室周辺の構造を示した背面図である。
【図４】図１に示した本発明の第１実施形態の冷蔵庫の支持部材の構造を示した斜視図である。
【図５】図１に示した本発明の第１実施形態の冷蔵庫の支持部材の構造を示した背面図である。
【図６】図１に示した本発明の第１実施形態の冷蔵庫の支持部材の支持部周辺の構造を示した拡大斜視図である。
【図７】本発明の第２実施形態の冷蔵庫の支持部材の構造を示した斜視図である。
【図８】従来の冷蔵庫の構造の一例を示した断面図である。
【図９】図８に示した従来の冷蔵庫の構造を示した背面図である。
【図１０】図８に示した従来の冷蔵庫の支持部材の構造を示した斜視図である。
【図１１】図８に示した従来の冷蔵庫の支持部材に補強部材を取り付けた状態を示した斜視図である。
【図１２】図８に示した従来の冷蔵庫の補強部材の構造を示した斜視図である。
【発明を実施するための形態】
【００１９】
以下、本発明の実施形態について図面を参照して説明する。なお、理解を容易にするために、断面図であってもハッチングを施さない場合がある。
【００２０】
（第１実施形態）
図１〜図６を参照して、本発明の第１実施形態による冷蔵庫１の構造について説明する。冷蔵庫１は図１に示すように、断熱箱体２を備えている。断熱箱体２には上側から順に冷蔵室３、冷凍室４および野菜室５が設けられている。冷蔵室３は貯蔵物を冷蔵保存し、冷凍室４は貯蔵物を冷凍保存する。野菜室５は冷蔵室３よりも少し高い温度に維持され、野菜等の貯蔵物を冷蔵保存する。
【００２１】
冷蔵室３は回動式の扉３ａによって開閉される。冷凍室４および野菜室５はそれぞれ収納ケース（図示せず）と一体に形成される引出式の扉４ａおよび５ａによって開閉される。
【００２２】
冷凍室４および冷蔵室３の背面にはダンパ６を介して連通する第１冷気通路７および第２冷気通路８が設けられている。第１冷気通路７には冷却器１１および送風機１２が配置されているとともに、冷凍室４に臨む吐出口７ａが設けられている。第２冷気通路８には冷蔵室３に臨む吐出口８ａが設けられている。
【００２３】
野菜室５の後方には断熱箱体２に隣接して機械室９が設けられ、機械室９内には冷凍サイクルを運転する圧縮機１０が設置されている。圧縮機１０には冷媒が流通する冷媒管（図示せず）を介して凝縮器（図示せず）、キャピラリチューブ（図示せず）、冷却器１１が順に接続され、冷媒管は圧縮機１０に戻る。これにより、冷凍サイクルが運転され、冷却器１１が第１冷気通路７を流通する空気と熱交換して冷気が生成される。
【００２４】
送風機１２を駆動すると第１冷気通路７に空気が流通する。この時、ダンパ６を開くと第２冷気通路８に冷気が流通する。第１冷気通路７および第２冷気通路８を流通する冷気はそれぞれ吐出口７ａおよび８ａを介して冷凍室４および冷蔵室３に吐出される。
【００２５】
冷凍室４には冷気を第１冷気通路７に戻す戻り口（図示せず）が設けられている。冷蔵室３には野菜室５に連通する連通路（図示せず）が導出され、野菜室５には冷気を第１冷気通路７に戻す戻り口（図示せず）が設けられている。
【００２６】
断熱箱体２は外箱２０と、外箱２０内に配置される内箱２１と、外箱２０および内箱２１の間に充填される発泡断熱材２２とを含む。外箱２０は上面部２０ａ、一対の側面部２０ｂ（図３参照）、下面部（ボトムプレート）２０ｃおよび背面部２０ｄを含む。内箱２１は冷蔵室３、冷凍室４および野菜室５を形成する。発泡断熱材２２は例えば硬質発泡ウレタンにより形成されている。
【００２７】
機械室９は断熱箱体２の下方に形成されている。図２および図３に示すように、機械室９の前面および天井は外箱２０の下面部２０ｃにより形成される。下面部２０ｃは機械室９の前面を形成する前面部２０ｅと、機械室９の天井を形成する天井部２０ｆとを含む。機械室９の側面は外箱２０の側面部２０ｂが延設されることにより形成される。機械室９の背面は後方カバー部材（図示せず）により形成される。後方カバー部材はネジ４０により背面部２０ｄに固定される。下面部２０ｃ、側面部２０ｂおよび後方カバー部材は板金製である。なお、図２のハッチング領域は発泡断熱材２２を示している。
【００２８】
機械室９の左右両側には、断熱箱体２の背面側の下部を支持する板金製の支持部材３０が設けられている。支持部材３０は図４に示すように、上下方向に延びる背面部３０ａと、断熱箱体２の幅方向の内側に配置される内側面部３０ｂと、断熱箱体２の幅方向の外側に配置される外側面部３０ｃと、底面部３０ｄとを含んでいる。背面部３０ａは図２に示すように、ネジ４１により断熱箱体２に固定される。
【００２９】
内側面部３０ｂには図５および図６に示すように、水平方向で、かつ、断熱箱体２の幅方向の内側に折り曲げられた支持部３０ｅが設けられている。この支持部３０ｅは板厚方向を鉛直に配して天井部２０ｆに面する。支持部３０ｅ上に天井部２０ｆが設置され、支持部３０ｅは天井部２０ｆを下側から支持する。また、支持部３０ｅの折り曲げ部分には、上下方向の強度を向上させるためにリブ３０ｆが設けられている。
【００３０】
支持部３０ｅの先端には上方向に折り曲げられた爪部３０ｇが設けられている。爪部３０ｇは図２および図３に示すように板厚が薄く形成された天井部２０ｆに突き刺さっており、天井部２０ｆの前後方向の移動を抑制する。なお図６に示すように、爪部３０ｇの折り曲げ部分（底部）は切り欠かれており、爪部３０ｇが天井部２０ｆから抜け出すのを抑制している。
【００３１】
本実施形態では、上記のように、支持部材３０には天井部２０ｆに面して水平方向に折り曲げられる支持部３０ｅが設けられ、支持部３０ｅ上に天井部２０ｆが設置される。これにより、天井部２０ｆは支持部３０ｅにより面で支持される。すなわち、天井部２０ｆを支持する部分の面積を大きくすることができる。このため、落下試験での衝撃により支持部３０ｅが天井部２０ｆを突き破るのを抑制することができるので、断熱箱体２が損傷するのを抑制することができる。なお、天井部２０ｆを厚く形成する必要がないので、冷蔵庫１のコストは増加しない。また、支持部３０ｅは支持部材３０を折り曲げることにより形成される。これにより、部品点数が増加するのを抑制することができるとともに、組立作業が煩雑になるのを抑制することができる。このため、冷蔵庫１のコストを削減することができる。
【００３２】
また、支持部３０ｅには上方向に折り曲げられるとともに天井部２０ｆに突き刺さる爪部３０ｇが設けられている。これにより、天井部２０ｆが前後方向に移動するのを抑制することができる。冷蔵庫１の組立工程では、冷蔵庫１を前に倒して冷蔵庫１の前面が下方（地面方向）を向いた状態で作業が進められる。このため、支持部３０ｅに爪部３０ｇを設けて天井部２０ｆに突き刺すことによって、組立工程において天井部２０ｆが冷蔵庫１の前面側（地面方向）に移動するのを抑制することができる。これにより、冷蔵庫１の組立作業性を向上させることができる。
【００３３】
また、爪部３０ｇは支持部３０ｅの先端に設けられる。これにより、爪部３０ｇを容易に形成することができる。
【００３４】
（第２実施形態）
本発明の第２実施形態では図７に示すように、支持部材３０の支持部３０ｅは断熱箱体２の幅方向の内側に延びるように形成されている。支持部３０ｅには爪部３０ｇが断熱箱体２の幅方向に沿って複数（例えば２つ）形成されている。
第２実施形態のその他の構造は、上記第１実施形態と同様である。
【００３５】
本実施形態では、上記のように、支持部３０ｅは断熱箱体２の幅方向の内側に延びるように形成され、支持部３０ｅには爪部３０ｇが幅方向に沿って複数形成される。これにより、爪部３０ｇにより天井部２０ｆの内側（中央側）を支持することができるとともに、多くの爪部３０ｇにより天井部２０ｆを支持することができる。これにより、天井部２０ｆの撓みを抑制することができる。
【００３６】
第２実施形態のその他の効果は、上記第１実施形態と同様である。
【００３７】
上記第１および第２実施形態では、支持部を断熱箱体の幅方向の内側に折り曲げて形成した例について説明したが、支持部を断熱箱体の幅方向の外側に折り曲げて形成してもよい。
【００３８】
また、上記第１および第２実施形態では、支持部に爪部を設けた例について説明したが、支持部に爪部を設けなくてもよい。
【符号の説明】
【００３９】
１  冷蔵庫
２  断熱箱体
９  機械室
２０  外箱
２０ｆ  天井部
２１  内箱
２２  発泡断熱材
３０  支持部材
３０ｅ  支持部
３０ｇ  爪部
【図１】
0005960447.tif 000002
【図２】
0005960447.tif 000003
【図３】
0005960447.tif 000004
【図４】
0005960447.tif 000005
【図５】
0005960447.tif 000006
【図６】
0005960447.tif 000007
【図７】
0005960447.tif 000008
【図８】
0005960447.tif 000009
【図９】
0005960447.tif 000010
【図１０】
0005960447.tif 000011
【図１１】
0005960447.tif 000012
【図１２】
0005960447.tif 000013